(57)【要約】【課題】ピックアップ移動機構を構成するナット部材の歯状突起を損傷せずして送りねじとの噛み合わせを容易かつ適切に行えるディスク駆動装置の提供。【解決手段】ピックアップユニット４に隣接して回転自在に設けられる送りねじ８と、ピックアップユニット４の定位置に結合されるナット部材９とを有し、そのナット部材９に送りねじ８の螺旋溝８ａと噛み合う歯状突起９ａが設けられる。ピックアップユニット４とナット部材９の少なくとも一方には位置決めピン１２が設けられ、他方には位置決めピン１２を挿入すべき位置決め孔１４が設けられる。位置決めピン１２には、該位置決めピン１２の軸線とのなす角度θが螺旋溝８ａのリード角φと同角の鋭角となる斜面部１２ｂが形成される。【選択図】図７
2008210459.tif 000002
【特許請求の範囲】
【請求項１】
ディスク回転手段と、該ディスク回転手段により回転駆動されるディスクの盤面に沿ってその半径方向に移動可能とされるピックアップユニットと、該ピックアップユニットをディスクの半径方向に移動せしめるピックアップ移動機構とを有し、
そのピックアップ移動機構が、前記ピックアップユニットに隣接して回転自在に設けられる送りねじと、前記ピックアップユニットの定位置に結合されて前記送りねじの回転運動をピックアップユニットの直進運動に変換するナット部材とを含み、
そのナット部材に前記送りねじの螺旋溝と噛み合う歯状突起が設けられる構成のディスク駆動装置において、
前記ナット部材を前記ピックアップユニットの定位置に結合するとき、前記ピックアップユニットと前記送りねじとの間における前記螺旋溝の傾斜方向に沿って前記ナット部材を移動案内するナット案内手段を備えていることを特徴とするディスク駆動装置。
【請求項２】
前記ナット案内手段として、前記ピックアップユニットと前記ナット部材の少なくとも一方に位置決めピンが設けられると共に、その位置決めピンを挿入すべき位置決め孔が前記ピックアップユニットと前記ナット部材の他方に設けられ、前記位置決めピンには、該位置決めピンの軸線とのなす角度が前記螺旋溝のリード角と同角の鋭角となる斜面部が形成されることを特徴とする請求項１記載のディスク駆動装置。
【発明の詳細な説明】
【技術分野】
【０００１】
本発明は、回転駆動されるディスクの盤面に沿ってその半径方向にピックアップユニットを移動させながら、ディスクに情報を記録したりその記録情報を読み出したりするディスク駆動装置に係わり、特にピックアップユニットをディスクの半径方向に移動させる機構の構成部品を損傷せずして、その組立を適切に行えるようにしたディスク駆動装置に関する。
【背景技術】
【０００２】
一般に、ＣＤプレーヤやＤＶＤレコーダといったディスク駆動装置は、ディスクを回転させるためのターンテーブルや、そのターンテーブルで支持されたディスクの盤面に沿ってその半径方向に移動可能とされるピックアップユニットなどを具備して構成される。
【０００３】
そして、その種のディスク駆動装置によれば、ターンテーブルで支持したディスクを回転させながら、その半径方向にピックアップユニットを移動させてディスクに楽曲情報などを記録したり、その記録情報を再生したりすることができる。
【０００４】
ここに、ピックアップユニットをディスクの半径方向に移動させる機構には、一般に送りねじを用いたフィード方式が適用される。
【０００５】
詳しくは、ディスクの半径方向に移動可能に支持したピックアップユニットに隣接して、モータにて回転駆動される送りねじ（リードスクリュー部材）を設ける一方、ピックアップユニットにナット部材（ガイドフィード部材）を結合し、そのナット部材に形成される歯状突起（ラック部）を送りねじの外周に形成される螺旋溝に噛合わせている（例えば、特許文献１）。
【０００６】
【特許文献１】特開２００５−２５１２７５号公報
【発明の開示】
【発明が解決しようとする課題】
【０００７】
しかしながら、送りねじを用いたピックアップ移動機構によれば、その組立を適切に行えず、組立時に構成部品を損傷させてしまうことがある。
【０００８】
詳しくは、ターンテーブルやピックアップユニット及びその移動機構は、ドライブユニット（一般にトラバースメカと呼ばれる）として一体に組み上げられるが、ナット部材を結合したピックアップユニットを送りねじと組み合わせたり、先に組み付けられたピックアップユニットに対してナット部材を送りねじに噛み合わせながら結合させたりするとき、ナット部材が送りねじの軸直角方向に押し込まれることにより、これに形成される歯状突起が送りねじの螺旋溝に対して食い違い、所謂「カジリ現象」を生じて歯状突起を欠損してしまったり、その修復に手間取って生産性を低下させてしまったりすることがあった。
【０００９】
本発明は以上のような事情に鑑みて成されたものであり、その目的はピックアップ移動機構を構成するナット部材の歯状突起を損傷せずして送りねじとの噛み合わせを容易かつ適切に行えるようにすることにある。
【課題を解決するための手段】
【００１０】
本発明は上記目的を達成するため、
ディスク回転手段と、該ディスク回転手段により回転駆動されるディスクの盤面に沿ってその半径方向に移動可能とされるピックアップユニット４と、該ピックアップユニット４をディスクの半径方向に移動せしめるピックアップ移動機構とを有し、
そのピックアップ移動機構が、ピックアップユニット４に隣接して回転自在に設けられる送りねじ８と、ピックアップユニット４の定位置に結合されて送りねじ８の回転運動をピックアップユニット４の直進運動に変換するナット部材９とを含み、
そのナット部材９に送りねじ８の螺旋溝８ａと噛み合う歯状突起９ａが設けられる構成のディスク駆動装置において、
ナット部材９をピックアップユニット４の定位置に結合するとき、該ピックアップユニット４と送りねじ８との間における螺旋溝８ａの傾斜方向に沿ってナット部材９を移動案内するナット案内手段を備えていることを特徴とする。
【００１１】
特に、前記ナット案内手段として、ピックアップユニット４とナット部材９の少なくとも一方に位置決めピン１２が設けられると共に、その位置決めピン１２を挿入すべき位置決め孔１４がピックアップユニット４とナット部材９の他方に設けられ、位置決めピン１２には、該位置決めピン１２の軸線とのなす角度θが螺旋溝８ａのリード角φと同角の鋭角となる斜面部１２ｂが形成されることを特徴とする。
【発明の効果】
【００１２】
本発明によれば、ナット部材をピックアップユニットの定位置に結合するとき、ピックアップユニットと送りねじとの間における送りねじの螺旋溝の傾斜方向（リード角方向）に沿ってナット部材を移動案内するナット案内手段を備えていることから、ナット部材に形成される歯状突起を送りねじの螺旋溝に合致させながら、ナット部材をピックアップユニットの定位置に結合させることができる。このため、ナット部材を損傷せずして送りねじとの噛み合わせを容易かつ適切に行え、延いては装置の品質、生産性も向上する。
【００１３】
特に、ナット案内手段として、ピックアップユニットとナット部材の少なくとも一方に位置決めピンが設けられると共に、他方に位置決めピンを挿入すべき位置決め孔が設けられることから、ナット部材をピックアップユニットの定位置に精確に結合でき、しかも位置決めピンにその軸線とのなす角度が螺旋溝のリード角と同じ鋭角となる斜面部が形成されることから、新たな部品を追加せず、位置決めピンの斜面部に位置決め孔の縁を押し当てながらナット部材を移動させだけで送りねじとの噛み合わせを容易かつ適切に行うことができる。
【発明を実施するための最良の形態】
【００１４】
以下、図面に基づき本発明を詳しく説明する。図１は本発明に係るディスク駆動装置の主要な構造体を成すドライブユニットを示す。
【００１５】
このドライブユニット１は、俗にトラバースメカと呼ばれるもので、ベースシャーシ２にディスク駆動用モータ３やピックアップユニット４などを装置して構成される。
【００１６】
ベースシャーシ２は、プレス加工などにより製作される定形の板材であり、その中央部分には所定の領域を切り抜いた開口部２Ａが形成され、その開口部２Ａの内側にモータ３とピックアップユニット４が配置される。
【００１７】
一方、モータ３のロータ軸３Ａにはターンテーブル５が固設され、そのターンテーブル５により図示せぬディスクの中心部が支持された状態で該ディスクの回転が行われる構成とされている。
【００１８】
又、ピックアップユニット４は、ターンテーブル５により支持された状態で回転されるディスクの盤面に沿ってその半径方向に移動しながら、ディスクの記録情報を読み出したり情報の書き込みを行ったりするもので、これは金属板などから成るキャリッジ４ａ上に、対物レンズ４ｂや、その対物レンズ４ｂを通してディスクの盤面に照射すべき光を発生するレーザダイオードなどの発光素子、及びディスクからの反射光を受け取る受光素子などを装置して構成される。
【００１９】
特に、ベースシャーシ２の開口部２Ａの両側には、ピックアップユニット４の移動案内をする左右一対のガイド軸６が取り付けられ、その両ガイド軸６によりピックアップユニット４がディスクの半径方向に移動可能にして支持されている。
【００２０】
尚、図１において、７はピックアップユニット４をガイド軸６に沿ってディスクの半径方向に移動させるための駆動力を発生するモータであり、このモータ７は一方のガイド軸６に近接してベースシャーシ２に固設される。
【００２１】
そして、本発明に係るディスク駆動装置は、上記のようなドライブユニット１を図示せぬ筐体に内蔵して構成され、その筐体内にディスクが挿入されたとき、該ディスクの中心部がターンテーブル５と図示せぬクランプ盤とによりクランプされ、その後、モータ３の起動によりディスクが回転され、しかしてピックアップユニット４がディスクの半径方向に移動しながら情報の読み出しや書き込みを行うようになっている。
【００２２】
次に、図２及び図３によりピックアップ移動機構について説明すれば、係るピックアップ移動機構は、上記モータ７により回転駆動される送りねじ８と、この送りねじ８に対応してピックアップユニット４の定位置に結合されるナット部材９と、により構成される。
【００２３】
送りねじ８は、ベースシャーシ２に固定されるコ字形のブラケット１０によりガイド軸６に平行して回転自在に支持されており、その外周には所定ピッチの螺旋溝８ａが形成されている。
【００２４】
一方、ナット部材９は、送りねじ８の回転運動をピックアップユニット４の直進運動に変換する部品であり、これには送りねじ８の螺旋溝８ａと噛み合う歯状突起９ａが形成される。尚、このナット部材９は、図３のようにピックアップユニット４と送りねじ８との間でピックアップユニット４の側縁部に結合され、この状態で歯状突起９ａが送りねじ８の螺旋溝８ａと噛み合うようになっている。
【００２５】
図４及び図５によりナット部材９の構成を詳しく説明すれば、係るナット部材９は合成樹脂などから形成される小型の部品で、これには上記ピックアップユニット４に結合する断面Ｌ字形の取付部９ｂと、上記歯状突起９ａを有する摺接部９ｃとが設けられる。この摺接部９ｃは、薄片状の樹脂ヒンジ部９ｄを介して取付部９ｂに連ねられ、取付部９ｂと摺接部９ｃとの間には図示せぬバネを配置する間隙Ｇが形成される。これによれば、摺接部９ｃを所定の弾力をもって上記送りねじ８に押し付け、外部から衝撃が加わったときに上記送りねじ８から摺接部９ｃを離脱せしめて歯状突起９ａの欠損などを防止することができる。尚、本例において、歯状突起９ａは螺旋溝８ａのピッチと同じ間隔で２つ平行に形成されるが、これを３つ以上形成してもよい。
【００２６】
又、図４、図５から明らかなように、ナット部材９の取付部９ｂには固定ねじを通す貫通孔１１が穿設されるほか、その貫通孔１１を挟んで２つの位置決めピン１２が取付部９ｂと一体に設けられる。特に、位置決めピン１２には、その固定端部（根元部分）に数ミリ程度の高さをもつ直立部１２ａを残して歯状突起９ａの歯筋と平行する斜面部１２ｂが形成される。尚、直立部１２ａの直径は後述する位置決め孔の内径と同一とされる。
【００２７】
そして、係るナット部材９は、図６のようにベースシャーシ２に対してピックアップユニット４や送りねじ８を組み付けた後、そのピックアップユニット４と送りねじ８との間でピックアップユニット４の側縁部に固定ねじ１３にて結合される。
【００２８】
図７は、ナット部材９の結合時の状態を示した要部拡大図である。この図で明らかなように、ピックアップユニット４には、位置決めピン１２に対応する上記位置決め孔１４、及び貫通孔１１に対応するねじ孔１５が形成される。又、図７から明らかなように、位置決めピン１２に形成した斜面部１２ｂと位置決めピン１２の軸線との成す角度θは鋭角であって、該角度θは送りねじ８の螺旋溝８ａのリード角φに合致し、ピックアップユニット４に対してナット部材９を結合するとき、ピックアップユニット４と送りねじ８との間における螺旋溝８ａの傾斜方向（リード角方向）に対して斜面部１２ｂが平行するようになっている。よって、位置決め孔１４の縁に斜面部１２ｂを押し当ててナット部材９をピックアップユニット４側に押し込むと、位置決め孔１４に位置決めピン１２が挿入されつつ、ナット部材９が斜面部１２ｂに倣って螺旋溝８ａの傾斜方向に平行移動するのであり、このため、図８のようにナット部材９に形成される歯状突起９ａは「かじり現象」を生ずることなく螺旋溝８ａに沿ってその内部に抵抗なく円滑に嵌まり込んでいく。
【００２９】
尚、上記のようにピックアップユニット４にナット部材９を結合するとき、歯状突起９ａの延長線上に螺旋溝８ａが位置していなくても、ピックアップユニット４をガイド軸６に沿って摺動させることにより歯状突起９ａと螺旋溝８ａとを同一直線状に位置付けることができる。又、上記のようにして螺旋溝８ａと歯状突起９ａが噛み合わされた後、ナット部材９の貫通孔１１を通じて、ピックアップユニット４側に形成したねじ孔１５に固定ねじ１３（図６参照）がねじ込まれるほか、位置決めピン１２の直立部１２ａが位置決め孔１４に隙間なく嵌合するようになるので、ナット部材９が結合後にがたつくことはなく、これをピックアップユニット４の定位置に確りと固定することができる。
【００３０】
ここで、上記例では、ナット案内手段として、ピックアップユニット４に位置決め孔１４を設ける一方、その位置決め孔１４に挿入すべき位置決めピン１２をナット部材９に設け、その位置決めピン１２に螺旋溝８ａのリード角φと合致する角度θをもった斜面部１２ｂが形成される構成としたが、本発明はそのような構成に限らず、位置決めピン１２をピックアップユニット４に設けると共に、これに対応する位置決め孔１４をナット部材９に設けるようにしてもよいし、位置決めピン１２と位置決め孔１４をピックアップユニット４及びナット部材９の双方にそれぞれ設ける構成としてもよい。
【００３１】
係る変更例を図９、図１０に示して説明する。尚、図９、図１０において、上記例と対応する部分には同一符号を付して詳細な説明を省略する。
【００３２】
図９は、ピックアップユニット４を裏側からみた斜視図である。この図で明らかなように、本例ではピックアップユニット４に２つの位置決めピン１２が設けられ、これに上記例と同様の斜面部１２ｂが形成される。
【００３３】
一方、図１０のように、ナット部材９の取付部９ｂには位置決め孔１４が穿設され、その位置決め孔１４に位置決めピン１２が挿入可能とされる。
【００３４】
そして、本例でも、位置決めピン１２に形成した斜面部１２ｂと位置決めピン１２の軸線との成す角度θは鋭角であって、該角度θは送りねじ８の螺旋溝８ａのリード角φに合致し、ピックアップユニット４に対してナット部材９を結合するとき、ピックアップユニット４と送りねじ８との間における螺旋溝８ａの傾斜方向（リード角方向）に対して斜面部１２ｂが平行するようになっている。よって、位置決め孔１４の縁に斜面部１２ｂを押し当ててナット部材９をピックアップユニット４側に押し込むと、位置決め孔１４に位置決めピン１２が挿入されつつ、ナット部材９が斜面部１２ｂに倣って螺旋溝８ａの傾斜方向に平行移動する。このため、本例でも図８のように、ナット部材９に形成される歯状突起９ａを螺旋溝８ａに沿ってその内部に円滑に嵌め込ませ、その両者を適切に噛み合わせることができる。
【図面の簡単な説明】
【００３５】
【図１】本発明に係るディスク駆動装置を構成するドライブユニットの斜視図
【図２】ピックアップ移動機構の構成例を示す斜視図
【図３】図２を下方からみた斜視図
【図４】ナット部材の斜視図
【図５】図４を反対側からみた斜視図
【図６】ナット部材をピックアップユニットに結合する状態を示した斜視図
【図７】ナット部材の結合時の状態を部分的に拡大して示した説明図
【図８】歯状突起と螺旋溝の噛合状態を示す説明図
【図９】本発明の変更例を示すピックアップユニットの斜視図
【図１０】図９のピックアップユニットにナット部材を結合する状態を示す説明図
【符号の説明】
【００３６】
１  ドライブユニット
２  ベースシャーシ
４  ピックアップユニット
５  ターンテーブル
６  ガイド軸
７  モータ
８  送りねじ
８ａ  螺旋溝
９  ナット部材
９ａ  歯状突起
１２  位置決めピン
１２ａ  直立部
１２ｂ  斜面部
１４  位置決め孔
【図１】
2008210459.tif 000003
【図２】
2008210459.tif 000004
【図３】
2008210459.tif 000005
【図４】
2008210459.tif 000006
【図５】
2008210459.tif 000007
【図６】
2008210459.tif 000008
【図７】
2008210459.tif 000009
【図８】
2008210459.tif 000010
【図９】
2008210459.tif 000011
【図１０】
2008210459.tif 000012